(57)【要約】【課題】緊急情報を報知する報知機能を備えた通信端末装置において、利用者と当該通信端末装置との距離的関係に応じて適切な報知情報を提供する。【解決手段】ネットワーク２３０を介して受信した緊急情報を報知する報知機能を備えた通信端末装置１０において、前記通信端末装置１０を制御する制御部１００と、受信した緊急情報に基づいて画面に報知情報を表示する表示部２００と、主要な報知情報からなる第１報知情報を前記表示部に表示する第１表示態様と、前記第１報知情報よりも詳細な情報を含む第２報知情報を前記表示部に表示する第２表示態様と、を備え、制御部１００は、通信端末装置１０と利用者との距離的関係を判定し、利用者との距離が遠いと判定した場合、前記第１表示態様により前記第１報知情報を表示部２００に表示するよう制御し、利用者との距離が近いと判定した場合、前記第２表示態様により前記第２報知情報を表示部２００に表示するよう制御する。【選択図】図２
2014044496.tif 000002
【特許請求の範囲】
【請求項１】
ネットワークを介して受信した緊急情報を報知する報知機能を備えた通信端末装置において、
前記通信端末装置を制御する制御部と、
前記緊急情報を受信する受信部と、
受信した緊急情報に基づいて画面に報知情報を表示する表示部と、
主要な報知情報からなる第１報知情報を前記表示部に表示する第１表示態様と、前記第１報知情報よりも詳細な情報を含む第２報知情報を前記表示部に表示する第２表示態様と、
を備え、
前記制御部は、前記通信端末装置と利用者との距離的関係を判定し、前記通信端末装置と利用者との距離が遠いと判定した場合、前記第１表示態様により前記第１報知情報を前記表示部に表示するよう制御し、前記通信端末装置と利用者との距離が近いと判定した場合、前記第２表示態様により前記第２報知情報を前記表示部に表示するよう制御することを特徴とする通信端末装置。
【請求項２】
前記制御部は、前記通信端末装置がスタンバイ状態に設定されている場合に前記通信端末装置と利用者との距離が遠いと判定し、前記スタンバイ状態に設定されていない場合に前記通信端末装置と利用者との距離が近いと判定することを特徴とする請求項１記載の通信端末装置。
【請求項３】
前記制御部は、前記通信端末装置が操作されてから前記緊急情報を受信するまでの時間が所定時間以内でない場合に前記通信端末装置と利用者との距離が遠いと判定し、前記時間が所定時間以内の場合に前記通信端末装置と利用者との距離が近いと判定することを特徴とする請求項１記載の通信端末装置。
【請求項４】
前記通信端末装置の振動を検出する振動センサを備え、
前記制御部は、前記振動が検出されない場合に前記通信端末装置と利用者との距離が遠いと判定し、前記振動が検出された場合に前記通信端末装置と利用者との距離が近いと判定することを特徴とする請求項１記載の通信端末装置。
【請求項５】
前記通信端末装置の角度変化を検出する角度センサを備え、
前記制御部は、前記角度変化が検出されない場合に前記通信端末装置と利用者との距離が遠いと判定し、前記角度変化が検出された場合に前記通信端末装置と利用者との距離が近いと判定することを特徴とする請求項１記載の通信端末装置。
【請求項６】
人の有無を検出する人感センサを備え、
前記制御部は、前記人の有が検出されない場合に前記通信端末装置と利用者との距離が遠いと判定し、前記人の有が検出された場合に前記通信端末装置と利用者との距離が近いと判定することを特徴とする請求項１記載の通信端末装置。
【請求項７】
外部電源の入力状態を検出する外部電源入力状態検出部を備え、
前記制御部は、前記外部電源の入力状態に係わらず前記通信端末装置がスタンバイ状態に設定されている場合に前記通信端末装置と利用者との距離が遠いと判定し、前記スタンバイ状態に設定されておらず、且つ、前記外部電源の電力が入力されていない場合に前記通信端末と利用者との距離が近いとと判定することを特徴とする請求項１記載の通信端末装置。
【発明の詳細な説明】
【技術分野】
【０００１】
本発明は、ネットワークを介して受信した緊急情報を報知する報知機能を備えた通信端末装置に関し、特に、緊急地震速報等の緊急情報を受信した際に、利用者と当該通信端末装置との距離的関係に応じて適切な報知情報を提供する機能を備えた通信端末装置に関するものである。
【背景技術】
【０００２】
例えば、気象庁は、地震が発生した際、緊急地震速報を配信する。緊急地震速報は、地震の発生直後に、震源に近い地震観測装置で捉えた観測データを解析して震源の位置や地震の規模（マグニチュード）を推定し、それに基づく各地での主要動の到達時刻や震度を可及的速やかに報知するための緊急情報である。なお、緊急情報には、緊急地震速報以外に、河川の増水に関する情報や、台風情報等がある。
【０００３】
これらの緊急情報の活用技術として、例えば、下記の特許文献１（特開２００８−１１７１６６号公報）には、気象庁から配信される緊急地震速報を基地局で受信して編集し、各報知装置に配信することにより、報知装置のそれぞれの場所での予測震度や到達猶予時間等を音声及び表示情報として利用者に提供するようにした技術が開示されている。
【先行技術文献】
【特許文献】
【０００４】
【特許文献１】特開２００８−１１７１６６号公報（段落［００６０］）
【発明の概要】
【発明が解決しようとする課題】
【０００５】
一般的に、このような緊急情報を受信して報知する場合には予め設定された情報が音声報知や表示装置への表示により報知される。例えば、緊急地震速報を受信した場合には、受信地点における予測震度、到達予測時刻、震源地名、震源位置（緯度・経度）マグニチュード、震源深さなどの情報が報知される。
【０００６】
ところで、このような緊急情報を、携帯電話や携帯情報端末（ＰＤＡ）等の通信機能を備えた通信端末装置（タブレット端末）で受信して報知する際、通信端末装置の使用状況に関わらず、固定的に定められた報知情報に従った報知を行うと、必ずしも適切でないという問題がある。すなわち、当該端末と利用者との距離に最適化した情報伝達が考慮されていないという課題が存在した。
【０００７】
例えば、利用者が当該端末を手に持って使用している場合には、より多くの付加情報までを伝えたいという要求がある一方で、利用者が当該端末から離れている場合に多くの情報を画面表示してしまう（＝小さな文字になる）と遠方から瞬時に情報を読み取れないことが懸念され、緊急性の高い情報を即時に伝達するという本来の目的から逸脱してしまう恐れがある。このため、1台の端末で両方の要求を合わせて満足する方法の実現は困難であった。
【０００８】
また、このようなタブレット端末は、例えば、寝室や居間等に設置して所望の写真を表示させるデジタルフォトフレームとして利用される場合もあり、このような利用形態では、利用者が常時タブレット端末の近傍にいるとは限らない。
【０００９】
本発明は、上記の問題点を解消することを課題とするものであり、緊急情報を報知する報知機能を備えた通信端末装置において、利用者と当該通信端末装置との距離的関係に応じて、適切な報知情報を提供することができる通信端末装置を提供することを目的とするものである。
【課題を解決するための手段】
【００１０】
前記課題を解決するために、本願の請求項１に係る発明は、ネットワークを介して受信した緊急情報を報知する報知機能を備えた通信端末装置において、前記通信端末装置を制御する制御部と、前記緊急情報を受信する受信部と、受信した緊急情報に基づいて画面に報知情報を表示する表示部と、主要な報知情報からなる第１報知情報を前記表示部に表示する第１表示態様と、前記第１報知情報よりも詳細な情報を含む第２報知情報を前記表示部に表示する第２表示態様と、を備え、前記制御部は、前記通信端末装置と利用者との距離的関係を判定し、前記通信端末装置と利用者との距離が遠いと判定した場合、前記第１表示態様により前記第１報知情報を前記表示部に表示するよう制御し、前記通信端末装置と利用者との距離が近いと判定した場合、前記第２表示態様により前記第２報知情報を前記表示部に表示するよう制御することを特徴とする。
【００１１】
また、本願の請求項２に係る発明は、請求項１に係る通信端末装置において、前記制御部は、前記通信端末装置がスタンバイ状態に設定されている場合に前記通信端末装置と利用者との距離が遠いと判定し、前記スタンバイ状態に設定されていない場合に前記通信端末装置と利用者との距離が近いと判定することを特徴とする。
【００１２】
また、本願の請求項３に係る発明は、請求項１に係る通信端末装置において、前記制御部は、前記通信端末装置が操作されてから前記緊急情報を受信するまでの時間が所定時間以内でない場合に前記通信端末装置と利用者との距離が遠いと判定し、前記時間が所定時間以内の場合に前記通信端末装置と利用者との距離が近いと判定することを特徴とする。
【００１３】
また、本願の請求項４に係る発明は、請求項１に係る通信端末装置において、前記通信端末装置の振動を検出する振動センサを備え、前記制御部は、前記振動が検出されない場合に前記通信端末装置と利用者との距離が遠いと判定し、前記振動が検出された場合に前記通信端末装置と利用者との距離が近いと判定することを特徴とする。
【００１４】
また、本願の請求項５に係る発明は、請求項１に係る通信端末装置において、前記通信端末装置の角度変化を検出する角度センサを備え、前記制御部は、前記角度変化が検出されない場合に前記通信端末装置と利用者との距離が遠いと判定し、前記角度変化が検出された場合に前記通信端末装置と利用者との距離が近いと判定することを特徴とする。
【００１５】
また、本願の請求項６に係る発明は、請求項１に係る通信端末装置において、人の有無を検出する人感センサを備え、前記制御部は、前記人の有が検出されない場合に前記通信端末装置と利用者との距離が遠いと判定し、前記人の有が検出された場合に前記通信端末装置と利用者との距離が近いと判定することを特徴とする。
【００１６】
また、本願の請求項７に係る発明は、請求項１に係る通信端末装置において、外部電源の入力状態を検出する外部電源入力状態検出部を備え、前記制御部は、前記外部電源の入力状態に係わらず前記通信端末装置がスタンバイ状態に設定されている場合に前記通信端末装置と利用者との距離が遠いと判定し、前記スタンバイ状態に設定されておらず、且つ、前記外部電源の電力が入力されていない場合に前記通信端末と利用者との距離が近いとと判定することを特徴とする。
【発明の効果】
【００１７】
本発明にかかる通信端末装置によれば、利用者が通信端末装置の近傍にいる場合には詳細情報を伝達可能であり、且つ、利用者が通信端末装置の遠方にいる場合には視認性の高い情報伝達が可能となる。本発明によれば、利用者と当該通信端末装置との距離的関係に応じて通信端末装置が自動的に報知情報を切り替えることにより、災害発生時点における通信端末装置と利用者との距離に応じた最適化した情報伝達が可能となる。
【００１８】
請求項１に係る発明においては、通信端末装置を制御する制御部と、前記緊急情報を受信する受信部と、受信した緊急情報に基づいて画面に報知情報を表示する表示部と、主要な報知情報からなる第１報知情報を前記表示部に表示する第１表示態様と、前記第１報知情報よりも詳細な情報を含む第２報知情報を前記表示部に表示する第２表示態様と、を備え、前記制御部は、前記通信端末装置と利用者との距離的関係を判定し、前記通信端末装置と利用者との距離が遠いと判定した場合、前記第１表示態様により前記第１報知情報を前記表示部に表示するよう制御し、前記通信端末装置と利用者との距離が近いと判定した場合、前記第２表示態様により前記第２報知情報を前記表示部に表示するよう制御する。
【００１９】
このような構成によれば、利用者が通信端末装置の近傍にいる場合には詳細情報を伝達可能であり、且つ、利用者が通信端末装置の遠方にいる場合には視認性の高い主要な報知情報のみの情報伝達が可能となる。
【００２０】
請求項２に係る発明においては、請求項１に係る通信端末装置において、前記制御部は、前記通信端末装置がスタンバイ状態に設定されている場合に前記通信端末装置と利用者との距離が遠いと判定し、前記スタンバイ状態に設定されていない場合に前記通信端末装置と利用者との距離が近いと判定する。
【００２１】
このような構成によれば、利用者が通信端末装置を所持しているか否かをスタンバイ状態から判定することにより、利用者と通信端末装置との距離的関係を判定することが可能になる。
【００２２】
請求項３に係る発明においては、請求項１に係る通信端末装置において、前記制御部は、前記通信端末装置が操作されてから前記緊急情報を受信するまでの時間が所定時間以内でない場合に前記通信端末装置と利用者との距離が遠いと判定し、前記時間が所定時間以内の場合に前記通信端末装置と利用者との距離が近いと判定する。
【００２３】
このような構成によれば、通信端末装置が操作されてから緊急情報を受信するまでの時間が所定時間以内であるか否かを判定することにより、利用者と通信端末装置との距離的関係を判定することが可能になる。
【００２４】
また、請求項４又は５に係る発明においては、請求項１に係る通信端末装置において、通信端末装置の振動又は角度変化が検出されない場合に前記通信端末装置と利用者との距離が遠いと判定し、前記振動又は角度変化が検出された場合に前記通信端末装置と利用者との距離が近いと判定する。
【００２５】
このような構成によれば、利用者が通信端末装置を所持しているか否かを通信端末装置の振動又は角度変化の有無から判定することにより、利用者と通信端末装置との距離的関係を判定することが可能になる。
【００２６】
請求項６に係る発明においては、請求項１に係る通信端末装置において、人の有無を検出する人感センサを備え、前記制御部は、前記人の有が検出されない場合に前記通信端末装置と利用者との距離が遠いと判定し、前記人の有が検出された場合に前記通信端末装置と利用者との距離が近いと判定する。
【００２７】
このような構成によれば、利用者が通信端末装置を所持しているか否かを人の有無から判定することにより、利用者と通信端末装置との距離的関係を判定することが可能になる。
【００２８】
請求項７に係る発明においては、請求項１に係る通信端末装置において、外部電源の入力状態を検出する外部電源入力状態検出部を備え、前記制御部は、前記外部電源の入力状態に係わらず前記通信端末装置がスタンバイ状態に設定されている場合に前記通信端末装置と利用者との距離が遠いと判定し、前記スタンバイ状態に設定されておらず、且つ、前記外部電源の電力が入力されていない場合に前記通信端末と利用者との距離が近いとと判定する。
【００２９】
このような構成によれば、利用者が通信端末装置を所持しているか否かをスタンバイ状態と外部電源の入力の有無とから正確に判定することにより、利用者と通信端末装置との距離的関係を判定することが可能になる。
【図面の簡単な説明】
【００３０】
【図１】本発明の実施例に係る通信端末装置の構成を示すブロック図である。
【図２】利用者との距離が遠い場合に表示される第１報知情報の一例を示す図である。
【図３】利用者との距離が近い場合に表示される第２報知情報の一例を示す図である。
【図４】本発明の実施例１に係る通信端末装置の処理手順を示すフローチャートである。
【図５】本発明の実施例２に係る通信端末装置の処理手順を示すフローチャートである。
【図６】本発明の実施例３に係る通信端末装置の処理手順を示すフローチャートである。
【図７】本発明の実施例４に係る通信端末装置の処理手順を示すフローチャートである。
【図８】本発明の実施例５に係る通信端末装置の処理手順を示すフローチャートである。
【発明を実施するための形態】
【００３１】
以下、本発明の具体例を実施例及び図面を用いて詳細に説明する。但し、以下に示す実施形態は、本発明の技術的思想を具体化するための通信端末装置を例示するものであって、本発明をこの通信端末装置に特定することを意図するものではなく、特許請求の範囲に含まれるその他の実施形態の通信端末装置にも等しく適応し得るものである。
【実施例】
【００３２】
まず、図１を参照して、本実施形態の通信端末装置の一例としてのタブレット型コンピュータについて説明する。図１は、本実施形態のタブレット型コンピュータ１０の内部ブロック図である。なお、タブレット型コンピュータ１０は、例えば、携帯情報端末装置や携帯電話などの通信端末装置であってもよい。
【００３３】
本実施例のタブレット型コンピュータ１０は、制御部１００、外部電源入力部１１０、外部電源入力状態検出部１２０、二次電池１３０、無線通信部１４０（受信部）、カメラ１５０、振動センサ１６０、角度センサ１７０、人感センサ１８０、入力部１９０、表示部２００、アンプ２１０（音量制御部）及びスピーカ２２０（報知部）を備えて構成される。また、無線通信部１４０には、ネットワーク２３０を介して緊急情報配信サーバ２４０が接続される。
【００３４】
制御部１００は、ＣＰＵ１０１、ＲＡＭ１０２及びＲＯＭ１０３を備えて構成されるマイクロプロセッサであり、ＲＯＭ１０３に記憶されたプログラムをＣＰＵ１０１において実行することによって、タブレット型コンピュータ１０の各機能の動作を制御・統括する。
【００３５】
外部電源入力部１１０は、電源コード接続用コネクタ、電圧制御回路、充電制御回路（図示せず）等を備えて構成される。電源コード接続用コネクタは、タブレット型コンピュータ１０のハウジングの側面の一つに形成され、ここに電源コードプラグが接続される。電源コードプラグが電源コード接続用コネクタに接続されると、商用電源から変圧器等を介して所定電圧に降圧された直流電力がタブレット型コンピュータ１０に供給される。電圧制御回路は、供給された電力の電圧を一定値に調節し、タブレット型コンピュータ１０の各部に継続的に電力を供給する。
【００３６】
外部電源入力状態検出部１２０は、外部電源入力部１１０の電源コード接続用コネクタに電源コードプラグが接続されているか否かを検出し、その検出結果を制御部１００に出力する。外部電源入力状態検出部１２０は、外部電源入力部１１０に電源コードプラグが接続されており、後述する二次電池１３０が満充電状態でない場合には、所定電圧又は所定電流の電力を二次電池１３０に供給して充電する。また、二次電池１３０が満充電状態になった場合には、二次電池１３０に対する充電を終了する。また、充電制御回路は、電源コード接続用コネクタに電源コードプラグが接続されていない場合に、二次電池１３０に充電されている電力を電圧制御回路に供給することにより、タブレット型コンピュータ１０の各部に電力を供給する制御を行う。
【００３７】
二次電池１３０は、タブレット型コンピュータ１０のハウジング内に電池パックの形態で収容される。二次電池１３０は、例えば、リチウムイオン二次電池である。
【００３８】
無線通信部１４０は、ネットワーク２３０を介してアクセスポイントとの間で通信を行うためのものである。無線通信部１４０は、タブレット型コンピュータ１０がアクセスポイントとの間で通信を行う際に、通信セッションの確立、切断を含む制御を行う。また、送信するデータがある場合には、データを符号化した後にパケット化し、所定周波数の無線を使用してアクセスポイントに対して送信を行う。また、アクセスポイントからデータを受信した場合には、パケットを組立てた後に復号化を行い、受信すべきデータを取得し、制御部１００のＲＡＭ１０３に記憶する。
【００３９】
本実施例では、アクセスポイントとして緊急情報配信サーバ２４０が接続されている。緊急情報配信サーバ２４０は、気象庁のサーバに接続されており、気象庁から配信される緊急情報、例えば、緊急地震速報、河川の増水に関する情報、台風情報等を受信し、ネットワーク２３０を介してタブレット型コンピュータ１０に配信する。
【００４０】
カメラ１５０は、タブレット型コンピュータ１０の後述する表示部２００が設けられている面と同じ側に設けられる内蔵式カメラであり、利用者が表示部２００を操作する際に、利用者の状態を撮影することができる。
【００４１】
振動センサ１６０は、加速度センサによって構成され、タブレット型コンピュータ１０に加わる加速度を計測する。制御部１１０は、例えば、タブレット型コンピュータ１０に加わる重力加速度の変化を検出し、タブレット型コンピュータ１０がどのような向きにあるのかを判定し、それに合わせて表示部２００に表示する画像の向きを制御することができる。
【００４２】
角度センサ１７０は、角加速度センサによって構成され、タブレット型コンピュータ１
０の単位時間当たりの回転角の変化を検出する。検出された回転角の変化は、カメラ１５０の手振れ検出等に使用することができる。
【００４３】
人感センサ１８０は、例えば、温度センサによって構成され、温度変化を検出することにより、タブレット型コンピュータ１０の近傍の人の有無を検出する。
【００４４】
入力部１９０は、タッチパネル１９１及びハードキー１９２により構成される。タッチパネル１９１は、表示部２００の表面に設けられる。タッチパネル１９１は、利用者が表示部２００に表示されたソフトキーを視認しながらタッチパネル１９１の特定部位に手指やスタイラスによる接触を行った場合に、接触を検出した位置情報を出力する。ハードキー１９２は、タブレット型コンピュータ１０のハウジングに設けられる押しボタンスイッチ等の機械的なスイッチであり、電源のオン／オフ、表示部２００のオン／オフ等の操作を行うために用いられる。
【００４５】
表示部２００は、タブレット型コンピュータ１０の一方の面の大半を占める位置に設けられており、液晶パネルユニット又は有機ＥＬパネルユニット等で構成されている。表示部２００は、制御部１００によって生成される各種画像、ソフトキー等を表示する。
【００４６】
スピーカ２２０は、タブレット型コンピュータ１０に内蔵されており、アンプ２１０により音量制御された警報音や音声を出力する。
【００４７】
本発明の実施例に係るタブレット型コンピュータ１０は、緊急情報を受信した際に利用者に対して表示部２００に表示する報知情報の表示態様を異ならせる。利用者とタブレット型コンピュータ１０との距離的関係に応じて、主要な報知情報からなる第１報知情報を表示部２００に表示する第１表示態様と、第１報知情報よりも詳細な情報を含む第２報知情報を表示部２００に表示する第２表示態様を備えている。
【００４８】
例えば、緊急地震速報を受信した際に、利用者がタブレット型コンピュータ１０を使用又は所持しておらず、利用者とタブレット型コンピュータ１０との距離が遠い場合には、図２に示すように、受信地点における予測震度、到達予測時刻を主要な報知情報２０１として表示部２００の表示領域２００ａに表示する。この報知態様（表示態様）を第１表示態様という。これにより、タブレット型コンピュータ１０から離れた場所にいる利用者に視認性がよい報知情報を提供することが可能になる。なお、表示領域２００ｂにはホーム、メニュー、戻る、音量の増減を指定するための各種ソフトキーが表示される。
【００４９】
また、利用者がタブレット型コンピュータ１０を使用していたり、利用者がタブレット型コンピュータ１０を所持していたりして、利用者とタブレット型コンピュータ１０との距離が近い場合には、図３に示すように、予測震度、到達予測時刻、震源地名、震源位置（緯度・経度）マグニチュード、震源深さなど、主要情報を含む詳細な報知情報２０２を表示部２００の表示領域２００ａに表示する。この報知態様（表示態様）を第２表示態様という。これにより利用者は、緊急地震速報の詳細情報を視認することが可能になる。
【００５０】
次に、図４〜図８のフローチャートに基づき、タブレット型コンピュータ１０の各実施例の処理手順を説明する。なお、図４〜図８に示す各処理は、制御部１００が備えるＲＯＭ１０２に記憶されている制御プログラムを実行することで実現される。
【００５１】
図４は、実施例１に係るタブレット型コンピュータ１０の処理手順を示すフローチャートである。
【００５２】
制御部１００は、無線通信部１４０がネットワーク２３０を介して緊急情報配信サーバ
２４０より緊急情報、例えば、緊急地震情報を受信すると(ステップＳ４０１)、タブレット型コンピュータ１０がスタンバイ状態であるか否かを判定する(ステップＳ４０２)。なお、スタンバイ状態とは、無線通信部１４０による受信機能のみを起動させておき、表示部２００による画像表示を含む他の機能を停止させることにより、二次電池１３０の電力消費を必要最小限にする状態である。例えば、タブレット型コンピュータ１０を使用していない場合、利用者は、入力部１９０のタッチパネル１９１又はハードキー１９２を用いて、タブレット型コンピュータ１０をスタンバイ状態に設定することができる。
【００５３】
タブレット型コンピュータ１０がスタンバイ状態に設定されていると判定された場合(ステップＳ４０２  ＹＥＳ)、制御部１００は、受信した緊急情報に基づいて、主要な報知情報（第１報知情報）を選択し(ステップＳ４０３)、次いで、制御部１００は、第１報知情報に従った第１報知画像を表示部２００に表示する（ステップＳ４０４)。
【００５４】
この場合、利用者は、タブレット型コンピュータ１０を所持しておらず、又は、タブレット型コンピュータ１０が利用者から離れた位置に置いてある可能性が高い。従って、第１表示態様により主要な報知情報を表示部２００に表示することで利用者に視認性がよい報知情報を提供することができる。報知情報は主要情報のみであるから、表示文字を大きくすることもでき、より視認性を上げることもできる。
【００５５】
一方、タブレット型コンピュータ１０がスタンバイ状態でないと判定された場合(ステップＳ４０２  ＮＯ)、制御部１００は、受信した緊急情報に基づいて、第１報知情報よりも詳細な情報を含む報知情報（第２報知情報）を選択し(ステップＳ４０５)、次いで、制御部１００は、第２報知情報に従った第２報知画像を表示部２００に表示する（ステップＳ４０６）。
【００５６】
この場合、利用者は、タブレット型コンピュータ１０を所持して使用中であり、又は、すぐに使用できる場所に置いてある可能性が高い。従って、第２表示態様により第１報知情報よりも詳細な情報を含む第２報知情報を表示部２００に表示することで、利用者は、直ちに、緊急情報の詳細情報を視認することができる。
【００５７】
図５は、実施例２に係るタブレット型コンピュータ１０の処理手順を示すフローチャートである。
【００５８】
制御部１００は、緊急情報を受信すると(ステップＳ５０１)、受信から所定時間前に利用者による入力操作があったか否かを判定する(ステップＳ５０２)。なお、入力操作から受信までの経過時間は、利用者が入力部１９０を操作した時点からの時間を計時することで得られる。
【００５９】
前回の入力操作から所定時間以上が経過していると判定された場合(ステップＳ４０２
ＮＯ)、制御部１００は、受信した緊急情報に基づいて、主要な報知情報（第１報知情報）を選択し(ステップＳ５０３)、次いで、制御部１００は、第１報知情報に従った第１報知画像を表示部２００に表示する（ステップＳ５０４)。
【００６０】
この場合、入力操作が長時間行われていないことから、利用者は、タブレット型コンピュータ１０を所持しておらず、又は、タブレット型コンピュータ１０が利用者から離れた位置に置いてある可能性が高い。従って、第１表示態様により主要な報知情報を表示部２００に表示することで利用者に視認性がよい報知情報を提供することができる。報知情報は主要情報のみであるから、表示文字を大きくすることもでき、より視認性を上げることもできる。
【００６１】
一方、緊急情報を受信する所定時間前に入力操作が行われていると判定された場合(ステップＳ５０２  ＹＥＳ)、制御部１００は、受信した緊急情報に基づいて、第１報知情報よりも詳細な情報を含む報知情報（第２報知情報）を選択し(ステップＳ５０５)、次いで、制御部１００は、第２報知情報に従った第２報知画像を表示部２００に表示する（ステップＳ５０６）。
【００６２】
この場合、利用者は、タブレット型コンピュータ１０を所持して使用中であり、又は、すぐに使用できる場所に置いてある可能性が高い。従って、第２表示態様により第１報知情報よりも詳細な情報を含む第２報知情報を表示部２００に表示することで、利用者は、直ちに、緊急情報の詳細情報を視認することができる。
【００６３】
図６は、実施例３に係るタブレット型コンピュータ１０の処理手順を示すフローチャートである。
【００６４】
制御部１００は、緊急情報を受信すると(ステップＳ６０１)、振動センサ１６０から振動の検出信号を取得し、又は、角度センサ１７０から角度変化の検出信号を取得し、振動の有無又は角度変化の有無を判定する(ステップＳ６０２)。
【００６５】
振動又は角度変化が検出されない場合(ステップＳ６０２  ＮＯ)、制御部１００は、受信した緊急情報に基づいて、主要な報知情報（第１報知情報）を選択し(ステップＳ６０３)、次いで、制御部１００は、第１報知情報に従った第１報知画像を表示部２００に表示する（ステップＳ６０４)。
【００６６】
この場合、タブレット型コンピュータ１０が振動しておらず、又は、角度変化がないことから、利用者は、タブレット型コンピュータ１０を所持していないと判断することができる。従って、第１表示態様により主要な報知情報を表示部２００に表示することで利用者に視認性がよい報知情報を提供することができる。報知情報は主要情報のみであるから、表示文字を大きくすることもでき、より視認性を上げることもできる。
【００６７】
一方、タブレット型コンピュータ１０の振動又は角度変化が検出された場合(ステップＳ６０２  ＹＥＳ)、制御部１００は、受信した緊急情報に基づいて、第１報知情報よりも詳細な情報を含む報知情報（第２報知情報）を選択し(ステップＳ６０５)、次いで、制御部１００は、第２報知情報に従った第２報知画像を表示部２００に表示する（ステップＳ６０６）。
【００６８】
この場合、利用者は、タブレット型コンピュータ１０を所持している可能性が高く、従って、第２表示態様により第１報知情報よりも詳細な情報を含む第２報知情報を表示部２００に表示することで、利用者は、直ちに、緊急情報の詳細情報を視認することができる。
【００６９】
図７は、実施例４に係るタブレット型コンピュータ１０の処理手順を示すフローチャートである。
【００７０】
制御部１００は、緊急情報を受信すると(ステップＳ７０１)、人感センサ１８０から検出信号を取得し、タブレット型コンピュータ１０を利用者が所持しているか否かを判定する(ステップＳ７０２)。
【００７１】
人が検出されない場合(ステップＳ７０２  ＮＯ)、制御部１００は、受信した緊急情報に基づいて、主要な報知情報（第１報知情報）を選択し(ステップＳ７０３)、次いで、制御部１００は、第１報知情報に従った第１報知画像を表示部２００に表示する（ステップ
Ｓ７０４)。
【００７２】
この場合、人感センサ１８０が利用者を検出していないため、利用者がタブレット型コンピュータ１０を所持していないと判断することができる。従って、第１表示態様により主要な報知情報を表示部２００に表示することで利用者に視認性がよい報知情報を提供することができる。報知情報は主要情報のみであるから、表示文字を大きくすることもでき、より視認性を上げることもできる。
【００７３】
一方、人感センサ１８０により人が検出された場合(ステップＳ７０２  ＹＥＳ)、制御部１００は、受信した緊急情報に基づいて、第１報知情報よりも詳細な情報を含む報知情報（第２報知情報）を選択し(ステップＳ７０５)、次いで、制御部１００は、第２報知情報に従った第２報知画像を表示部２００に表示する（ステップＳ７０６）。
【００７４】
この場合、利用者は、タブレット型コンピュータ１０を所持しており、従って、第２表示態様により第１報知情報よりも詳細な情報を含む第２報知情報を表示部２００に表示することで、利用者は、直ちに、緊急情報の詳細情報を視認することができる。
【００７５】
図８は、実施例５に係るタブレット型コンピュータ１０の処理手順を示すフローチャートである。
【００７６】
制御部１００は、緊急情報を受信すると(ステップＳ８０１)、タブレット型コンピュータ１０がスタンバイ状態であるか否かを判定する(ステップＳ８０２)。
【００７７】
タブレット型コンピュータ１０がスタンバイ状態に設定されていると判定された場合(ステップＳ８０２  ＹＥＳ)、制御部１００は、受信した緊急情報に基づいて、主要な報知情報（第１報知情報）を選択し(ステップＳ８０３)、次いで、制御部１００は、第１報知情報に従った第１報知画像を表示部２００に表示する（ステップＳ８０４)。
【００７８】
この場合、利用者は、タブレット型コンピュータ１０を所持しておらず、又は、タブレット型コンピュータ１０が利用者から離れた位置に置いてある可能性が高い。従って、実施例１の場合と同様に、第１表示態様により主要な報知情報を表示部２００に表示することで利用者に視認性がよい報知情報を提供することができる。報知情報は主要情報のみであるから、表示文字を大きくすることもでき、より視認性を上げることもできる。
【００７９】
一方、タブレット型コンピュータ１０がスタンバイ状態ではないと判定された場合(ステップＳ８０２  ＮＯ)、制御部１００は、タブレット型コンピュータ１０に外部電源より電力が供給されている状態であるか否かを判定する(ステップＳ８０５)。この判定は、外部電源入力状態検出部１２０により行うことができる。すなわち、外部電源入力状態検出部１２０は、外部電源入力部１１０の電源コード接続用コネクタに電源コードプラグが接続されているか否かを検出し、電源コードプラグが接続されている場合、接続状態検出信号を制御部１００に出力する。
【００８０】
スタンバイ状態でなく(ステップＳ８０２  ＮＯ)、且つ、外部電源より電力が供給されていることが検出された場合(ステップＳ８０５  ＹＥＳ)、制御部１００は、受信した緊急情報に基づいて、主要な報知情報（第１報知情報）を選択し(ステップＳ８０３)、次いで、制御部１００は、第１報知情報に従った第１報知画像を表示部２００に表示する（ステップＳ８０４)。
【００８１】
この場合、タブレット型コンピュータ１０は、スタンバイ状態に設定されておらず、外部電源が接続されて表示部１３０を含む各機能が作動している状態になっている。この状
態は、例えば、利用者がタブレット型コンピュータ１０を寝室や居間等に設置し、表示部１３０に所望の写真を表示させるデジタルフォトフレームとして利用している場合などが想定される。従って、利用者は、タブレット型コンピュータ１０を所持しておらず、また、タブレット型コンピュータ１０は、利用者からある程度離れた場所にあるため、制御部１００は、第１表示態様により主要な報知情報を表示部２００に表示することで利用者に視認性がよい報知情報を提供することができる。報知情報は主要情報のみであるから、表示文字を大きくすることもでき、より視認性を上げることもできる。
【００８２】
また、スタンバイ状態でなく(ステップＳ８０２  ＮＯ)、且つ、外部電源より電力が供給されていない場合には(ステップＳ８０５  ＮＯ)、制御部１００は、受信した緊急情報に基づいて、第１報知情報よりも詳細な情報を含む報知情報（第２報知情報）を選択し(ステップＳ８０６)、次いで、制御部１００は、第２報知情報に従った第２報知画像を表示部２００に表示する（ステップＳ８０７）。
【００８３】
この場合、利用者は、タブレット型コンピュータ１０を所持して使用している可能性が高く、従って、第２表示態様により第１報知情報よりも詳細な情報を含む第２報知情報を表示部２００に表示することで、利用者は、直ちに、緊急情報の詳細情報を視認することができる。
【００８４】
なお、本発明は、上述した実施例に限定されるものではなく、本発明の要旨を逸脱しない範囲で変更することが可能である。
【符号の説明】
【００８５】
１０      タブレット型コンピュータ（通信端末装置）
１００    制御部
１０１    ＣＰＵ
１０２    ＲＯＭ
１０３    ＲＡＭ
１１０    外部電源入力部
１２０    外部電源入力状態検出部
１３０    二次電池
１４０    無線通信部
１５０    カメラ
１６０    振動センサ
１７０    角度センサ
１８０    人感センサ
１９０    入力部
１９１    タッチパネル部
１９２    ハードキー
２００    表示部
２１０    アンプ
２２０    スピーカ
２３０    ネットワーク
２４０    緊急情報配信サーバ
【図１】
2014044496.tif 000003
【図２】
2014044496.tif 000004
【図３】
2014044496.tif 000005
【図４】
2014044496.tif 000006
【図５】
2014044496.tif 000007
【図６】
2014044496.tif 000008
【図７】
2014044496.tif 000009
【図８】
2014044496.tif 000010